(57)【要約】【課題】本体内部からの排気に対して直接使用者に当ることがない、信頼性が高く、快適に使用できる組み込み式加熱調理器を提供することを目的とする。【解決手段】側壁Ａ１４に複数の排気用の開口部Ａ１５を設けた、本体を構成するトップ部１１と、この開口部Ａ１５を覆うカバー１６とを備え、前記カバー１６には開口部Ａ１５からの排気の向きを上方向に変向するように開口部Ｂ２０を設けたものである。これにより、本体からの排気は開口部Ｂ２０で上方に吹き上げられるので、使用者に排気が直接当ることがなく、信頼性が高く、快適に使用できる。【選択図】図２
2006322645.tif 000002
【特許請求の範囲】
【請求項１】
側壁Ａに複数の排気用の開口部Ａを設けた、本体を構成するトップ部と、この開口部Ａを覆うカバーとを備え、前記カバーには開口部Ａからの排気の向きを上方向に変向するように開口部Ｂを設けた組み込み式加熱調理器。
【請求項２】
カバーは、トップ部の開口部Ａに着脱自在に取り付けた請求項１に記載の組み込み式加熱調理器。
【請求項３】
開口部Ａはトップ部を構成する枠体に構成され、この開口部Ａを構成する枠体は下方からの立ち上げ部Ａを設け、この立ち上げ部Ａは開口部Ｂより本体中央側に配設した請求項１または２に記載の組み込み式加熱調理器。
【請求項４】
開口部Ｂを構成するカバーの側壁Ｂには下方からの立ち上げ部Ｂを設け、この立ち上げ部Ｂの上端は立ち上げ部Ａの上端よりも高く位置し、かつ開口部Ｂを有するカバーの側壁Ｂの上端は側壁Ｂの下端より本体中央側に配設した請求項１〜３のいずれか１項に記載の組み込み式加熱調理器。
【請求項５】
開口部Ｂはカバーの天面に位置し、本体中央側に開口した庇形状で構成された請求項１〜４のいずれか１項に記載の組み込み式加熱調理器。
【請求項６】
開口部Ａからの排気の向きを上方向に変向するように設けた開口部Ｂに代え、カバーの両側にのみ開口部Ｃを設けた請求項１に記載の組み込み式加熱調理器。
【請求項７】
本体を構成するトップ部は、鍋などを載置する天板と、天板の端面を覆う枠体で構成され、前記枠体の天面には天板より外側に位置して開口部Ｄを設け、トップ部の内部には開口部Ｄより本体中央側でかつ枠体下面より高い壁を構成した組み込み式加熱調理器。
【請求項８】
開口部Ｄ上には開口部Ｅを有する着脱自在なフィルターを設けた請求項７に記載の組み込み式加熱調理器。
【請求項９】
開口部Ｄの本体中央側の枠体天面には、煮こぼれ防止の凸形状を有する請求項７または８に記載の組み込み式加熱調理器。
【発明の詳細な説明】
【技術分野】
【０００１】
本発明は、排気構成に特徴を有する組み込み式加熱調理器に関するものである。
【背景技術】
【０００２】
従来、この種の組み込み式加熱調理器の排気部におけるカバーの構成としては、例えば、本体後方の側壁に設けられた排気口を覆うように、側面に開口部を有するカバーが取り付けられたものが知られている（例えば、特許文献１参照）。
【０００３】
これは、図１６、図１７に示すように、トップ部１を構成する枠体２内部にセラミックプレートなどで構成された天板３が固定されており、枠体２の後方側壁４には本体内部の部品を冷却するために設けられた排気口である開口部Ａ５が構成されている。開口部Ａ５の後方には、開口部Ａ５を覆うように開口部Ｂ６を側壁に設けたカバー７が取り付けられている。
【特許文献１】特開平５−７４２６３号公報
【発明の開示】
【発明が解決しようとする課題】
【０００４】
しかしながら、前記従来の構成では、アイランドキッチンのように四方共使用者が座れるようなキッチンにおいて、排気口側に座った使用者にとっては、本体から出る排気が開口部Ａ５、開口部Ｂ６を通って直接当ってしまうことになり、不快な感覚を味わうという課題を有していた。
【０００５】
本発明は、前記従来の課題を解決するもので、本体内部からの排気に対して直接使用者に当ることがない、信頼性が高く、快適に使用できる組み込み式加熱調理器を提供することを目的とする。
【課題を解決するための手段】
【０００６】
前記従来の課題を解決するために、本発明の組み込み式加熱調理器は、側壁Ａに複数の排気用の開口部Ａを設けた、本体を構成するトップ部と、この開口部Ａを覆うカバーとを備え、前記カバーには開口部Ａからの排気の向きを上方向に変向するように開口部Ｂを設けたものである。
【０００７】
これにより、本体からの排気は開口部Ｂで上方に吹き上げられるので、使用者に排気が直接当ることがなく、信頼性が高く、快適に使用できる。
【発明の効果】
【０００８】
本発明の組み込み式加熱調理器は、使用者に排気が直接当ることがなく、信頼性が高く、快適に使用できるものである。
【発明を実施するための最良の形態】
【０００９】
第１の発明は、側壁Ａに複数の排気用の開口部Ａを設けた、本体を構成するトップ部と、この開口部Ａを覆うカバーとを備え、前記カバーには開口部Ａからの排気の向きを上方向に変向するように開口部Ｂを設けた組み込み式加熱調理器とすることにより、本体からの排気は開口部Ｂで上方に吹き上げられるので、使用者に排気が直接当ることがなく、信頼性が高く、快適に使用できる。
【００１０】
第２の発明は、特に、第１の発明において、カバーは、トップ部の開口部Ａに着脱自在に取り付けたことにより、カバーを楽に手入れすることができ、お手入れ性がよくなり、快適に機器を使うことができる。
【００１１】
第３の発明は、特に、第１または第２の発明において、開口部Ａはトップ部を構成する枠体に構成され、この開口部Ａを構成する枠体は下方からの立ち上げ部Ａを設け、この立ち上げ部Ａは開口部Ｂより本体中央側に配設したことにより、開口部Ｂから入った煮こぼれに対しても、立ち上げ部Ａで食い止めることができるため、本体内に入ることを防止することができる。
【００１２】
第４の発明は、特に、第１〜第３のいずれか１つの発明において、開口部Ｂを構成するカバーの側壁Ｂには下方からの立ち上げ部Ｂを設け、この立ち上げ部Ｂの上端は立ち上げ部Ａの上端よりも高く位置し、かつ開口部Ｂを有するカバーの側壁Ｂの上端は側壁Ｂの下端より本体中央側に配設したことにより、本体からの排気が効率よく上方に向きを変向することができる。
【００１３】
第５の発明は、特に、第１〜第４のいずれか１つの発明において、開口部Ｂはカバーの天面に位置し、本体中央側に開口した庇形状で構成されたことにより、排気は使用者に当ることなく、また庇形状により上からの煮こぼれも入りづらくできるので、使い勝手をよくすることができる。
【００１４】
第６の発明は、特に、第１の発明において、開口部Ａからの排気の向きを上方向に変向するように設けた開口部Ｂに代え、カバーの両側にのみ開口部Ｃを設けたことにより、カバーの両側からのみの排気で抑えることができるので、使用者にとって快適に使用することができる。
【００１５】
第７の発明は、本体を構成するトップ部は、鍋などを載置する天板と、天板の端面を覆う枠体で構成され、前記枠体の天面には天板より外側に位置して開口部Ｄを設け、トップ部の内部には開口部Ｄより本体中央側でかつ枠体下面より高い壁を構成したことにより、例え、開口部Ｂから煮こぼれが入ったとしても、本体の外側に出すことができる。
【００１６】
第８の発明は、特に、第７の発明において、開口部Ｄ上には開口部Ｅを有する着脱自在なフィルターを設けたことにより、煮こぼれが本体内部に入ることを防止できる。
【００１７】
第９の発明は、特に、第７または第８の発明において、開口部Ｄの本体中央側の枠体天面には、煮こぼれ防止の凸形状を有することにより、天板からの煮こぼれに対して止めることができるので、煮こぼれを本体内部に入りにくくすることができる。
【００１８】
以下、本発明の実施の形態について、図面を参照しながら説明する。なお、この実施の形態によって本発明が限定されるものではない。
【００１９】
（実施の形態１）
図１〜図３は、本発明の実施の形態１における組み込み式加熱調理器を示すものである。
【００２０】
図に示すように、本体を構成しているトップ部１１は矩形状であり、鍋などを載置する天板１２の端面を覆うように枠体１３が接着剤で固定されている。そして、枠体１３の後方の少なくとも一辺の側壁Ａ１４には本体内部の冷却を行うために設けられた排気用の複数の開口部Ａ１５が備えられている。側壁Ａ１４の外側には開口部Ａ１５を覆うようにカバー１６が着脱自在に装着されている。カバー１６は、天面１７、側壁Ｂ１８、底面１９を有し、天面１７には開口部Ａ１５からの排気の向きを上方向に変向するように複数の開口部Ｂ２０を有しており、両サイドにはバネ性を有する弾性体２１を設け、その弾性体２１が開口部Ａ１５の両サイドに嵌合することで、トップ部１１に着脱自在に装着されている。本体を構成している外郭２２がトップ部１１の内側にあり、本体はキャビネット２３に設置されている。
【００２１】
以上のように構成された組み込み式加熱調理器の排気部構成について、以下その動作、作用を説明する。
【００２２】
まず、上記構成において、本体内を冷却した風の流れを考える。本体内の部品を冷却した風は本体後方へと導かれる。そして、トップ部１１の枠体１３に構成された開口部Ａ１５から排気される。それから、カバー１６内から天面１７に配置された開口部Ｂ２０を抜けて外部へと排気される。つまり、排気は開口部Ｂ２０から上方に向かって吹き上げられる。このことにより、例え、排気口側に使用者が座っていたとしても、排気は使用者には当ることはなくなる。次に、煮こぼれがトップ部１１後方で起こったと考える。煮こぼれは、カバー１６の天面１７に位置した開口部Ｂ２０からカバー１６内へ入る。ところが、カバー１６はトップ部１１から着脱自在に取り付けられているため、簡単に取り外すことができ、洗うことができる。
【００２３】
さらに、着脱方式についても、カバー１６の両サイドにバネ性ある弾性体２１が設けられているため、取り付け位置が取り付けにくい後方であっても、押し込む、引き抜くという容易な作業だけでトップ部１１に着脱できるし、また、側壁という安定感が悪い面に固定する際でもガタツキがなく確実に取り付けることができる。
【００２４】
以上のように、本実施の形態においては、本体からの排気は上方に吹き上げられるため、使用者に直接当ることを防止することができる。また煮こぼれした場合には、カバーの天面に開口部Ｂがあるため入りやすいが、カバー内で完結するようにすることができるため、本体内部に入りづらく、かつ冷却性能も確保できる構成にすることができる。またカバーを着脱自在とすることで簡単に洗うこともできるため、排気口である開口部Ｂが煮こぼれなどで汚れ、詰まったとしても着脱式のカバーを簡単に外して洗うことで、清潔にすることができ、元の性能を維持する状態に戻すことができる。また、カバーを取り外したときに表れる開口部Ａも清掃できるので、信頼性が高く、また清掃性、取り付け性がよい使い勝手がよく、快適に使用できる機器を提供することができる。
【００２５】
弾性体２１は、カバー１６と一体部品で構成させてもよいし、別部品をカバー１６にスポット溶接やねじの締結などで固定させてもよい。
【００２６】
なお、着脱の方式であるが、着脱手段があれば、何でもよく、例えば、板バネをトップ部１１内に設けてカバー１６のある面を板バネとトップ部１１の面と挟みつけて固定してもよいし、またトップ部１１、カバー１６が磁性体であれば磁石を両者もしくはどちらかに設けてもよいし、バネ構成で作られた爪でトップ部１１に引っ掛け、ワンプッシュで外すという構成でも同様の効果が得られる。
【００２７】
また、ここでは後方の側壁で説明したが、設置条件、本体冷却構成によっては、後方だけでなく左右側壁にも開口部を設けるとか、右側壁だけとか色んな場合によって開口部位置を変えても同様の効果が得られる。さらに、トップ部１１は矩形状であるとしたが、この形状も限定されるものではなく、例えば、円形状など種々の形状のものが考えられる。
【００２８】
（実施の形態２）
図４は、本発明の実施の形態２における組み込み式加熱調理器を示すものである。実施の形態１と同一要素については同一符号を付してその説明を省略する。
【００２９】
本実施の形態においては、枠体１３の側壁Ａ１４には開口部Ａ１５が備えられているが、その下部には立ち上げ部Ａ２４が構成されており、キャビネット２３の面よりは約３ｍｍ程度高くなっている。そして、その位置は開口部Ｂ２０より本体中央側に形成されている。
【００３０】
以上のように構成された組み込み式加熱調理器の排気部構成について、実施の形態１と異なる部分についてのみ動作、作用を説明する。
【００３１】
煮こぼれがトップ部１１後方で起こったと考える。煮こぼれは、カバー１６の天面１７に位置した開口部Ｂ２０からカバー１６内へ入る。ところが、立ち上げ部Ａ２４が開口部Ｂ２０よりも本体中央側に位置しているため、ある程度の煮こぼれはブロックできる。そのため、本体内への浸入を防止することができる。
【００３２】
また、カバー１６は着脱自在で簡単に洗うこともできるため、排気口である開口部Ｂ２０が煮こぼれなどで汚れ、詰まったとしても着脱式のカバー１６を簡単に外して洗うことで、清潔にすることができ、元の性能を維持する状態に戻すことができる。
【００３３】
以上のように、本実施の形態においては、排気が使用者に当ることを防ぐとともに、より本体内に煮こぼれなどが入らない安全な機器を提供することができる。なお、当然のことながら、実施の形態１で記載した同様の効果がここでも得られる。
【００３４】
（実施の形態３）
図５は、本発明の実施の形態３における組み込み式加熱調理器を示すものである。実施の形態１、２と同一要素については同一符号を付してその説明を省略する。
【００３５】
本実施の形態においては、カバー１６の開口部Ｂ２０の下部には下方からの立ち上げ部Ｂ２５を設けており、その上端２５ａは立ち上げ部Ａ２４の上端２４ａよりも高く位置し、かつ、その位置は開口部Ｂ２０より本体中央側に形成されている。さらに開口部Ｂ２０を有するカバー１６の側壁Ｂ１８において、側壁Ｂ１８の上端１８ａは側壁Ｂ１８の下端１８ｂより本体中央側に構成されている。
【００３６】
以上のように構成された組み込み式加熱調理器の排気部構成について、実施の形態１、２と異なる部分についてのみ動作、作用を説明する。
【００３７】
本体内の部品を冷却した風の流れを考える。本体内を冷却した風は本体後方へと導かれる。そして、トップ部１１の枠体１３に構成された開口部Ａ１５から排気される。それから、カバー１６内から開口部Ｂ２０を通って外部へと排気される。このとき、立ち上げ部Ａ２４の上端２４ａより立ち上げ部Ｂ２５の上端２５ａは高く、またカバー１６の側壁Ｂ１８においても、上端１８ａは下端１８ｂよりも本体中央側に位置しているため、排気は少なくとも斜め上方向に排気されるし、また極端な排気の向きの変向はないため、効率よく圧損少なく外部へと排気され、本体内部の冷却性能も確実に維持される。このように、排気の向きを斜め上方に変更することでかなり、使用者への風の当りを軽減できる。
【００３８】
以上のように、本実施の形態においては、排気が使用者に当ることを防ぐとともに、効率よく排気を行い本体の冷却性能も優れた信頼性の高い機器をも提供することができる。なお、当然のことながら、実施の形態１、２で記載した同様の効果がここでも得られる。
【００３９】
（実施の形態４）
図６、図７は、本発明の実施の形態４における組み込み式加熱調理器を示すものである。実施の形態１と同一要素については同一符号を付してその説明を省略する。
【００４０】
本実施の形態においては、カバー１６の天面１７に構成された庇形状２６は本体中央側に開口部を有する形状となっており、開口部の入口は一段高くなっている。
【００４１】
以上のように構成された組み込み式加熱調理器の排気部構成について、実施の形態１と異なる部分についてのみ動作、作用を説明する。
【００４２】
本体内の部品を冷却した風の流れを考える。本体内を冷却した風は本体後方へと導かれる。そして、トップ部１１の枠体１３に構成された開口部Ａ１５から排気される。それから、カバー１６内から天面１７に配置された開口部Ｂ２０へとくる。ところが、開口部Ｂ２０上には庇形状２６があるため、排気は前方に排気される。このことにより、例え、排気口側に使用者が座っていたとしても、排気は使用者には当ることはなくなる。次に、煮こぼれがトップ部１１後方で起こったと考える。ところが、カバー１６の天面１７に位置した開口部Ｂ２０には庇形状２６があるため、上からの煮こぼれについては、カバー１６内に入らない。また、前方からの煮こぼれについては、開口部Ｂ２０の手前側が一段高くなっていることにより、一部しか入らないようにできる。
【００４３】
以上のように、本実施の形態においては、排気が使用者に当ることを防ぐとともに、より本体内に煮こぼれなどが入らない安全な機器をも提供することができる。なお、当然のことながら、実施の形態１〜３で記載した同様の効果がここでも得られる。
【００４４】
（実施の形態５）
図８、図９は、本発明の実施の形態５における組み込み式加熱調理器を示すものである。実施の形態１と基本構成は同様であるためその説明を省略する。
【００４５】
本実施の形態においては、実施の形態１における開口部Ａ１５からの排気の向きを上方向に変向するように設けた開口部Ｂ２０に代え、カバー１６を断面コ字形状とし、その両側にのみ開口部Ｃ２７を設けたものである。つまり、カバー１６の両側からのみの排気ができるようにしている。
【００４６】
以上のように構成された組み込み式加熱調理器の排気部の構成について、実施の形態１と異なる部分についてのみ動作、作用を説明する。
【００４７】
本体内の部品を冷却した風の流れを考える。本体内を冷却した風は本体後方へと導かれる。そして、トップ部１１の枠体１３に構成された開口部Ａ１５から排気される。それから、カバー１６内から両側に設けられた開口部Ｃ２７へときて、両側からのみ外部へ排気される。このことにより、例え、排気口側に使用者が座っていたとしても、排気は一部だけからしか出ないので、そこを避けて座ることで、使用者には当ることはなくなる。次に、煮こぼれがトップ部１１後方で起こったと考える。ところが、カバー１６には両サイドにしか開口部Ｃ２７がないので、ほとんどカバー１６内に煮こぼれは入らない。
【００４８】
以上のように、本実施の形態においては、排気が使用者に当ることを防ぎ、使用者にとって快適に使用することができるとともに、より本体内に煮こぼれなどが入らない安全な機器を提供することができる。なお、当然のことながら、実施の形態１〜４で記載した同様の効果がここでも得られる。
【００４９】
（実施の形態６）
図１０、図１１は、本発明の実施の形態６における組み込み式加熱調理器を示すものである。実施の形態１と同一要素については同一符号を付してその説明を省略する。
【００５０】
本実施の形態においては、本体を構成しているトップ部１１は鍋などを載置する天板１２の端面を覆うように枠体１３が接着剤で固定されている。枠体１３後方の天面には、天板１２より後方に位置する複数の開口部Ｄ２８が設けられている。トップ部１１内部において、外郭２２のフランジ２９上にＬ状に曲げた壁３０が固定され、この壁３０の高さは枠体１３の下面３１より２ｍｍ程度高くなり、かつ位置は開口部Ｄ２８より本体中央側に配置されている。本体はキャビネット２３に設置されている。ちなみに、枠体１３の下面３１とキャビネット２３との隙間は１〜２ｍｍ程度である。
【００５１】
以上のように構成された組み込み式加熱調理器の排気部構成について、実施の形態１と異なる部分についてのみ動作、作用を説明する。
【００５２】
まず、上記構成において、本体内の部品を冷却した風の流れを考える。本体内を冷却した風は本体後方へと導かれる。そして、トップ部１１の天板１２と壁３０との間を通り、そして、枠体１３に構成された開口部Ｄ２８から排気される。つまり、排気は開口部Ｄ２８から上方に向かって吹き上げられる。枠体１３の下面３１の隙間から一部は排気されるが、排気面積は断然、開口部Ｄ２８の方が大きいので、ほとんど開口部Ｄ２８から排気される。このことにより、例え、排気口側に使用者が座っていたとしても、排気は使用者には当ることはなくなる。次に、煮こぼれがトップ部１１後方で起こったと考える。煮こぼれは、枠体１３に設けられた開口部Ｄ２８より浸入する。ところが、トップ部１１内部には開口部Ｄ２８より本体中央側に壁３０が設けられており、さらに本体内へ入っていくことは防ぐことができる。また、枠体１３の下面３１とキャビネット２３の間に隙間があるため、入った煮こぼれは外へと出ていく。また、壁３０の高さは枠体１３の下面３１より高いので、本体内部への浸入はほとんど防ぐことができる。
【００５３】
以上のように、本実施の形態においては、本体からの排気は上方に吹き上げられることができるため、使用者に直接当ることを防止することができるし、また煮こぼれした場合でも、本体内部へ浸入していくことは防ぐことができ、かつ冷却性能も確保できる構成にすることができる。よって、信頼性が高く、また清掃性、取り付け性がよい使い勝手がよく、快適に使用できる機器を提供することができる。なお、当然のことながら、実施の形態１〜５で記載した同様の主な効果がここでも得られる。
【００５４】
（実施の形態７）
図１２、図１３は、本発明の実施の形態７における組み込み式加熱調理器を示すものである。実施の形態１、６と同一要素については同一符号を付してその説明を省略する。
【００５５】
本実施の形態においては、枠体１３の開口部Ｄ２８上には、着脱自在にフィルター３２を設け、フィルター３２上には複数の開口部Ｅ３３が設けられている。
【００５６】
以上のように構成された組み込み式加熱調理器の排気部構成について、実施の形態６と異なる部分についてのみ動作、作用を説明する。
【００５７】
煮こぼれがトップ部１１後方で起こったと考える。煮こぼれは、フィルター３２上にくるが、フィルター３２により多くの煮こぼれをそこで止めることができる。一部が開口部Ｅ３３を通って枠体１３上へと入り、そのまた一部が開口部Ｄ２８を通って、トップ部１１内へ入る。ところが、トップ部１１内には壁３０があるため、それ以上本体内部へ入っていくことはない。つまり、煮こぼれのほとんどをフィルター３２で食い止めることができる。また、フィルター３２は着脱自在で簡単に洗うこともできるため、排気口である開口部Ｅ３３が煮こぼれなどで汚れ、詰まったとしても着脱式のフィルター３２を簡単に外して洗うことで、清潔にすることができ、元の性能を維持する状態に戻すことができる。
【００５８】
以上のように、本実施の形態においては、排気が使用者に当ることを防ぐとともに、より本体内に煮こぼれなどが入らない安全な機器をも提供することができる。なお、当然のことながら、実施の形態１〜６で記載した同様の主な効果がここでも得られる。
【００５９】
（実施の形態８）
図１４、図１５は、本発明の実施の形態８における組み込み式加熱調理器を示すものである。実施の形態１、７と同一要素については同一符号を付してその説明を省略する。
【００６０】
本実施の形態においては、枠体１３の天面で、開口部Ｄ２８の本体中央側に煮こぼれ防止の連続した凸形状３４が約３ｍｍの高さで形成されている。ここでは、枠体１３を絞って一体形成している。
【００６１】
以上のように構成された組み込み式加熱調理器の排気部構成について、実施の形態７と異なる部分についてのみ動作、作用を説明する。
【００６２】
トップ部１１上の後方で煮こぼれしたことを考える。煮こぼれは枠体１３の方に向かってくるが、凸形状３４があるため、ほとんどの煮こぼれはブロックすることができる。一部超えてフィルター３２側にきた煮こぼれについても、実施の形態７で説明したように本体内にほとんど入らない。
【００６３】
以上のように、本実施の形態においては、排気が使用者に当ることを防ぐとともに、より本体内に煮こぼれなどが入らない安全な機器を提供することができる。なお、本実施の形態では、フィルター３２はその天面と枠体１３の天面が同一面であっても同様の効果が得られる。そして、当然のことながら、実施の形態１〜７で記載した同様の主な効果がここでも得られる。
【産業上の利用可能性】
【００６４】
以上のように、本発明にかかる組み込み式加熱調理器は、使用者に排気が直接当ることがなく、信頼性が高く、快適に使用できるものであるので、調理機器はもちろんのこと、溢水のおそれのある機器などの用途にも適用できる。
【図面の簡単な説明】
【００６５】
【図１】（ａ）本発明の実施の形態１における組み込み式加熱調理器のカバー分解時の斜視図（ｂ）同カバー装着時の斜視図
【図２】同組み込み式加熱調理器の要部の縦断面図
【図３】同組み込み式加熱調理器の要部の平断面図
【図４】本発明の実施の形態２における組み込み式加熱調理器の要部の縦断面図
【図５】本発明の実施の形態３における組み込み式加熱調理器の要部の縦断面図
【図６】本発明の実施の形態４における組み込み式加熱調理器の要部の縦断面図
【図７】同組み込み式加熱調理器のカバーの斜視図
【図８】本発明の実施の形態５における組み込み式加熱調理器の背面図
【図９】同組み込み式加熱調理器のカバーの斜視図
【図１０】本発明の実施の形態６における組み込み式加熱調理器の斜視図
【図１１】同組み込み式加熱調理器の要部の縦断面図
【図１２】本発明の実施の形態７における組み込み式加熱調理器の斜視図
【図１３】同組み込み式加熱調理器の要部の縦断面図
【図１４】本発明の実施の形態８における組み込み式加熱調理器の斜視図
【図１５】同組み込み式加熱調理器の要部の断面図
【図１６】（ａ）従来の組み込み式加熱調理器のカバー分解時の斜視図（ｂ）同カバー装着時の斜視図
【図１７】同組み込み式加熱調理器の要部の断面図
【符号の説明】
【００６６】
１１  トップ部
１２  天板
１３  枠体
１４  側壁Ａ
１５  開口部Ａ
１６  カバー
１７  天面
１８  側壁Ｂ
１８ａ  側壁Ｂの上端
１８ｂ  側壁Ｂの下端
２０  開口部Ｂ
２２  外郭
２４  立ち上げ部Ａ
２４ａ  立ち上げ部Ａの上端
２５  立ち上げ部Ｂ
２５ａ  立ち上げ部Ｂの上端
２６  庇形状
２７  開口部Ｃ
２８  開口部Ｄ
３０  壁
３１  枠体の下面
３２  フィルター
３３  開口部Ｅ
３４  凸形状
【図１】
2006322645.tif 000003
【図２】
2006322645.tif 000004
【図３】
2006322645.tif 000005
【図４】
2006322645.tif 000006
【図５】
2006322645.tif 000007
【図６】
2006322645.tif 000008
【図７】
2006322645.tif 000009
【図８】
2006322645.tif 000010
【図９】
2006322645.tif 000011
【図１０】
2006322645.tif 000012
【図１１】
2006322645.tif 000013
【図１２】
2006322645.tif 000014
【図１３】
2006322645.tif 000015
【図１４】
2006322645.tif 000016
【図１５】
2006322645.tif 000017
【図１６】
2006322645.tif 000018
【図１７】
2006322645.tif 000019